(57)【要約】【課題】    スロープに設けるに適した手すりについて、その角度調整部における所望の角度に対する取付け時のずれを排除して、角度の選択を確実に行えるものとし、尚且つ、このような手すりを、製造に有利な簡便な構造で実現する。【解決手段】  本願発明に係る手すりは、支柱２と、設置面との間の角度を角度調整部３によって調整する。角度調整部３は、外周面に断面視円弧状の凸曲面を有する凸面構成部材と、内周面に断面視円弧状の凹曲面を有する凹面構成部材の、少なくとも２つの部材を備える関節であり、両構成部材の凹曲面と凸曲面を対応させてボルト等の締結具により、両構成部材同士を組み付けた。凸面構成部材と凹面構成部材の凸曲面と凹曲面の何れか一方には、それ自身が呈する上記円弧の周方向と交差する方向に伸びる、溝が当該周方向に沿って複数配列され、凸曲面と凹曲面の何れか他方には、当該溝に対応する凸部を有する。【選択図】          図１
2005076322.tif 000002
【特許請求の範囲】
【請求項１】
把持部と、把持部を支持する支柱と、角度調整部とを備え、支柱と、設置面或いは把持部との間の角度を角度調整部によって調整するものであり、角度調整部は、断面視円弧状の凸曲面を有する凸面構成部材と、断面視円弧状の凹曲面を有する凹面構成部材の、少なくとも２つの部材を備える関節であり、両構成部材の凹曲面と凸曲面を対応させてボルト等の締結具により、両構成部材同士を組み付けた手すりにおいて、
凸面構成部材と凹面構成部材の凸曲面と凹曲面の何れか一方には、それ自身が呈する上記円弧の周方向と交差する方向に伸びる、溝が当該周方向に沿って複数配列され、凸曲面と凹曲面の何れか他方には、当該溝に対応する少なくとも１つの凸部が設けられたことを特徴とする手すり。
【請求項２】
上記の締結具は、ボルト等の座面を備えた雄ネジ部材と、ナット等の座面を備えた雌ネジ部材とにて構成され、
凸面構成部材は、上記凸曲面から凸曲面の反対側に貫通する第１貫通部を備えるものであり、凹面構成部材は、上記凹曲面から凹曲面の反対側に貫通する第２貫通部を備えるものであり、
両貫通部の何れか一方は、雄ネジ部材を挿通することが可能な孔であり、
両貫通部の何れか他方は、構成部材の曲面に沿って、周方向に伸びる長孔であり、雌ネジ部材を上記孔と長孔へ通し、雄ネジ部材の先端に雌ネジ部材を締付けることにより、両ネジ部材の座面が、凹凸両曲面の反対側の面を押さえて、両構成部材を固定するものであり、
上記の孔が設けられた構成部材にあって、支柱の外側に雄ネジ部材の座面と、対応する部分が、形成されたことを特徴とする請求項１記載の手すり。
【発明の詳細な説明】
【技術分野】
【０００１】
本願発明は、手すり及び手すり用角度調整機構に関するものである。
【背景技術】
【０００２】
高齢者のいる家庭などでは、住居の床や玄関口付近に、手すりを設けて、高齢者の歩行を補助することが、一般的である。このような手すりは、歩行する者が掴むための把持部と、把持部を支持する複数の支柱と、支柱を床や地面などの設置面に固定する設置部とにより構成される。
【０００３】
このような手すりを、スロープのある床や地面などに設置する場合、支柱を鉛直に保つために、設置面の傾斜に対応して、角度調整部を設置面に対して支柱の固定角度を９０度以外の角度に固定する必要がある。
しかし、上記のスロープの傾斜毎に、当該傾斜角度に対応する設置部を用意するのでは、手間やコストの点で現実にそぐわない。
この点、一つの設置部で、スロープの種々の傾斜角度に対応するものを提供できれば、上記の問題はないのであるが、種々のスロープに対応し得る手すり、即ち、きめ細やかに支柱の設置面に対する角度調整を行うことが可能な手すりが実用化されていなかった。
近年、このような問題点を考慮して、手すりを先端部で支持する支柱を傾斜角度を有する手摺り設置物に基礎物品を介して固定するとともに、基礎物品を、手摺り設置物に取り付けられる第１基礎部材と、支柱の基礎部が結合される第２基礎部材とを有するものとし、第２基礎部材を第１基礎部材に対して面接触する湾曲凸部と湾曲凹部で回動自在とし、第２基礎部材を所定回動位置で第１基礎部材にボルト及びナットで締結する手すりの支柱構造が提案されている（特許文献１）。
【０００４】
【特許文献１】特開平１０−２９９２１２号公報
【０００５】
このような構成を採る特許文献１の発明は、手摺り設置物に所定角度をなして支柱を固定する作業を簡単に行え、また、傾斜角度の異なる種々の手摺り設置物に対して汎用性を有する手摺りの支柱構造を提供するものである。
【０００６】
しかし、この特許文献１に示された発明においては、上記のボルトを及びナットの締付け前に決めた第１基礎部と第２基礎部材との間の角度は、作業者が両基礎部材を手でしっかり押さえていても、締め付け作業中にずれて、作業完了後、当初決めた角度と異なる角度となってしまうというが往々にして生じた。
更に、この特許文献１に示された発明においては、上記のボルトを及びナットについて、夫々支柱の内部にレンチなどの締め付け工具を差し込んで、その締め付けの作業を行う必要があり、このような作業は行い難く、極めて面倒なものである。
そして、このような締め付け工具を支柱内に差し込んで作業を行うという手間が、上記の両基礎部材間の角度のずれの発生を助長するものとなっている。
【０００７】
一方、本願の発明者は、このような点を考慮して、特願２００２−１８２７１６号へ示すような手すりを提案している。
【０００８】
これは、把持部と、把持部とを支持する支柱と、角度調整部とを備え、支柱と設置面或いは把持部との間の角度を角度調整部によって調整するようにした手すりにおいて、角度調整部は、位置決め部材と位置決め部材を中心とし相対的に回動する回動部材との２つの部材を備えた関節を有し、回動部材は、雌ねじを備えると共に、この雌ねじに螺合して位置決め部材に達する固定部材が配設され、位置決め部材には、固定部材を受容する受容部が複数段設けられることにより、関節のなす角度を複数段調整して固定するものであり、回動部材に対して、摺動子が取り付けられ、この摺動子に上記の雌ねじが設けられることにより、上記の複数段の受容部による調整角度より細かな著製を可能としたことを特徴とする手すりである。
【０００９】
この特願２００２−１８２７１６号に示す発明に係る手すりでは、固定部材を受容する受容部を複数段設けることにより、大まかな角度を決定することができ、固定部材の締め付け作業中、その角度のずれを生じ難いものとしている。このように特願２００２−１８２７１６号に示す発明では、大まかな角度について確実にその選択を可能とした上で、当該角度の微調整を可能とするものである。
即ち、特願２００２−１８２７１６号に記載された発明に係る手すりによって、上記のずれを排して、所望の角度の選択をより確実に行うことを可能としたのである。
【発明の開示】
【発明が解決しようとする課題】
【００１０】
他方において、本願の発明者は、このようなずれを排除して角度の選択を確実に行うことが可能な手すりを、製造に有利な、より簡便な構造で得ることを模索していた。
そして、鋭意研究の末、今般、そのような角度の選択を確実に行える手すりを発明するに到ったものである。
【課題を解決するための手段】
【００１１】
本願の第１の発明に係る手すりは、把持部１と、把持部１を支持する支柱２と、角度調整部３とを備え、支柱２と、設置面或いは把持部１との間の角度を角度調整部３によって調整するものであり、角度調整部３は、外周面に断面視円弧状の凸曲面を有する凸面構成部材と、内周面に断面視円弧状の凹曲面を有する凹面構成部材の、少なくとも２つの部材を備える関節であり、両構成部材の凹曲面と凸曲面を対応させてボルト等の締結具により、両構成部材同士を組み付けたものについて、次の構成を採る。
凸面構成部材と凹面構成部材の凸曲面と凹曲面の何れか一方には、それ（曲面）自身が呈する上記円弧の周方向と交差する方向に伸びる、溝が当該周方向に沿って複数配列され、凸曲面と凹曲面の何れか他方には、当該溝に対応する少なくとも１つの凸部が設けられたことを特徴とする。
【００１２】
本願第２の発明に係る手すりでは、上記本願第１の発明に係る手すりにあって、上記の締結具が、ボルト等の座面を備えた雄ネジ部材と、ナット等の座面を備えた雌ネジ部材とにて構成されている。凸面構成部材は、上記凸曲面から凸曲面の反対側に貫通する第１貫通部を備えるものであり、凹面構成部材は、上記凹曲面から凹曲面の反対側に貫通する第２貫通部を備えるものである。両貫通部の何れか一方は、雄ネジ部材を挿通することが可能な孔である。両貫通部の何れか他方は、構成部材の曲面に沿って、周方向に伸びる長孔であり、雌ネジ部材を上記孔と長孔へ通し、雄ネジ部材の先端に雌ネジ部材を締付けることにより、両ネジ部材の座面が、凹凸両曲面の反対側の面を押さえて、両構成部材を固定するものである。上記の孔が設けられた構成部材にあって、支柱の外側に雄ネジ部材の座面と、対応する部分が、形成されたことを特徴とする。
【００１３】
上記の構成を採る本願第１及び第２の発明に係る手すりは、凸面構成部材と凹面構成部材の凸曲面と凹曲面に設けられた、溝に凸部が対応することによって、締め付け手段を締付ける際に、当初決めた角度がずれずに、確実に所望の角度に、両構成部材同士を固定することができる。即ち、凸曲面と凹曲面という滑りやすい面同士を合わせても、一旦両曲面を突き合わせた後は、溝に凸部が引っ掛かることによって、その位置が変わらず（仮止めした状態にして）、確実に締結具の締め付けを行うことができる。
特に、本願第２の発明に係る手すりでは、上記本願第１の発明が奏する作用に加えて、締結具の締め付けを、支柱２の外側で行うことができる。
【発明の効果】
【００１４】
本願第１及び第２の発明の実施により、手すりにおいて、支柱と、設置面或いは把持部との間に介された角度調整部の締結具を締付けるに際して、角度調整部の角度を締め付け途中であっても、安定させておくことができ、当初決めた角度にずれを生じさせない。
また、本願第２の発明の実施によって、締結具の締付けに際し、レンチなどの締付け工具を支柱の中に挿入して締付けるという手間を排除して、作業の能率を著しく向上させた。
上記の通り、本願第１及び第２の発明によって、スロープに設けるに適した手すりについて、その角度調整部における所望の角度に対する取付け時のずれを排除して、角度の選択を確実に行えるものとし、尚且つ、このような手すりを、製造に有利な簡便な構造で実現した。
【発明を実施するための最良の形態】
【００１５】
以下、図面を参照しつつ、本願発明の好ましい実施の形態について、説明する。図１乃至図６へ本願発明に係る手すりの一実施の形態を示す。
図１は、手すりの略全体側面図である。図２は水平な設置面に対応した状態を示す、図１の手すりの角度調整部３の縦断面図である。図３はスロープのある設置面に対応した状態を示す、上記角度調整部３の縦断面図である。図４は、図３に示す状態の角度調整部３の主として上部を見せる斜視図である。図５は、上記角度調整部３の分解斜視図である。図６は、上記角度調整部３の主として底面を見せる斜視図である。
説明の便宜上、各図中、Ｕは上方を、Ｓは下方を、Ｆは前方を、Ｂは後方を、Ｒは右方を、Ｌは左方を、夫々示している。
【００１６】
図１へ示す通り、この手すりは、スロープが付けられた設置面に合わせて設けられるものであり、把持部１と、把持部１を支持する支柱２…２と、角度調整部３…３とを備えるものである。
各部の構成について、以下順に説明する。
【００１７】
把持部１は、スロープを歩行する者が掴むことが可能な棒状体である。この実施の形態では、金属製のパイプにて形成されている。
支柱２…２の夫々は、把持部１を支持するものである。この実施の形態において、支柱２…２は、床に立設されている。
【００１８】
角度調整部３は、スロープの傾斜に拘わらず、支柱２を鉛直に配置することを可能とするものである。この実施の形態において、角度調整部３は、支柱２と設置面ｇとの間の角度を調整するものであり、夫々の支柱３の下端に設けられたものである。即ち、角度調整部３は、支柱３と床（設置面ｇ）との間に介されたものである。
図２〜図５へ示す通り、角度調整部３は、第１構成部材３１と、第１構成部材３１と別体に形成された第２構成部材３２とを備え、両構成部材３１，３２同士は、組付けられ、締結具４にて、固定される。
【００１９】
第１構成部材３１は、設置面ｇに対応する基体３３と、基体３３の上面に設けられた雄部３５とを有する。雄部３５の上面は、縦断面視円弧状の凸曲面３５ａである。図４〜図６の３０…３０は、基体３３を設置面ｇへ固定するためのネジやボルトなどの固定具を装着する、取付孔を示している。
第１構成部材３１の雄部３５は、図６へ示す通り、内部が中空の隆起部であり、基体３３の底面側に開口する。雄部３５の上面（凸曲面３５ａ）は、この内部に貫通する第１貫通部３９を備える。即ち、雄部３５には、凸曲面３５ａから凸曲面３５ａの反対側に貫通する第１貫通部３９が設けられている。
【００２０】
第２構成部材３２は、支柱２の下端部を収容する受容部材３４と、受容部材３４の下部に設けられた雌部３６とを有する。受容部材３４は、内部に支柱２の下端部を受容することが可能な筒状体であり、雌部３６は、当該筒状体である受容部材３４の下端より前方Ｆ側に突出する突出片である。即ち、雌部３６は、受容部材３４に収容される支柱２に対して、その外側に位置する。
受容部材３４は、収容した支柱２を固定する固定部５を備える。固定部５は、図４及び図５へ示す通り、筒状の受容部材３４の上方の開口端から、受容部材３４の軸方向に沿って形成されたスリット５０と、スリット５０の両側に設けられた突出部５１，５１と、ボルト・ナットなどの締付け部材５２とを備える。両突出部５１，５１には、貫通穴が設けられており、当該貫通穴に締め付け部材５２が通される。そして、締め付け部材５２を締付けることによって、突出部５１，５１間の幅即ち、スリット５０の幅を狭めて、受容部材３４内の支柱２を締め付ける。このようにして、固定部５は、支柱２を受容部材３４に固定することができる。
また、この実施の形態において、筒状の受容部材３４の左右側面夫々に、左貫通孔６１、右貫通孔６２が設けられている。更に、受容部材３４の背面上部に、後貫通孔６３が設けられている。上記の通り、受容部材３４内に支柱２の下端部を収容した状態において、支柱２についても、上記左貫通孔６１、右貫通孔６２及び後貫通孔６３と対応する位置に、内外に貫通する貫通孔が設けられている。このような、受容部材３４の上記各貫通孔６１，６２，６３及び、支柱２の対応する貫通孔の夫々に、ブラインドリベット或いはタッピングネジなどの固着手段を（図示しない。）取り付けることによって、受容部材３４と支柱２との固定をより確実に行うことができる。
雌部３６の下面は、縦断面視円弧状の凹曲面３６ａである。
第２構成部材３２の雌部３６の上面３６ｂには、雌部３６の下面（凹曲面３６ａ）に貫通する第２貫通部３８が設けられている。第２貫通部３８は、棚部３８ａを備える。第２貫通部３８は、棚部３８ａを挟んで上面３６ｂ側の内径が、棚部３８ａ挟んでその反対側（奥側）の内径より大きくなっている。
【００２１】
上記の雄部３５及び雌部３６の、凸曲面３５ａと凹曲面３６ａとには、曲面３５ａ，３６ａ夫々が呈する上記円弧の、周方向ｒ（図２）と交差する方向に伸びる複数の凸条ｍ…ｍが形成されている。凸条ｍ…ｍ夫々が凸部を構成し、また、隣り合う凸条ｍと凸条ｍの間が溝ｎを構成している。
【００２２】
上記の締結具４は、雄ネジ部材４１と、雄ネジ部材４１と別体に形成され且つ雄ネジ部材４１と螺合することが可能な雌ネジ部材４２とを有する。
雄ネジ部材４１は、周面に雄ネジが設けられた軸部４３と、軸部４３の端部に設けられ且つ座面４７を備える頭部４５とにて構成されている。雌ネジ部材４２は、雄部３５の上記中空の内部に収容することが可能な略直方体の部材であり、雌ネジ部材４２を上下に貫通する貫通孔４４を備える。貫通孔４４の内周面には、上記軸部４３と螺合する雌ネジが、形成されている。雌ネジ部材４２の左右側面４６，４６は、上記雄部３５の内部の左右側面３５ｃ，３５ｃに対面する。
【００２３】
第２貫通部３８は、雄ネジ部材４１を挿通することが可能な孔である。また、第１貫通部３９は、第１構成部材３１の雄部３５の曲面（凸曲面３５ａ）に沿って、当該曲面の周方向ｒに伸びる長孔である。雄ネジ部材４１を上記第２貫通部３８と第１貫通部３９へ通し、雄ネジ部材４１の先端を雌ネジ部材４２の貫通孔４４に螺合し、雄ネジ部材４１を雌ネジ部材４２に対して締付けることにより、両ネジ部材の座面４８，４７（図５）が、凹凸両曲面３５ａ，３６ａの反対側の面、即ち、棚部３８ａと雄部３５の内部（凸曲面部３５ａの裏面）を押さえる。このようにして、第１構成部材３１に第２構成部材３２を固定することができる。
上記の締め付けは、雄ネジ部材４１の頭部を、締め付け工具にて回すことにより、行うことができる。締め付けに際して、雌ネジ部材４２は、対面する雄部３５内部の左右側面３５ｃ，３５ｃに当たる。即ち、雌ネジ部材４２が雄ネジ部材４１の軸部４３の回転に追従して回転しようとするのを当該側面３５ｃ，３５ｃに阻止される。このため、上記締め付け時、雌ネジ部材４２を手で押さえておく必要がない。
図６へ示すように、基体３３の底面に排水用溝７を設けておくのが好ましい。この排水用溝７は、上記雄部３５の内部と、基体３３の設置面ｇ（傾斜面）における下方側とを連絡するものであり、雄部３５の内部空間に溜まった雨水を、外部へ排出するものである。この実施の形態では、設置面ｇは、前方Ｆに向けて下り勾配となっているので、雨水を円滑に排出するため、排水用溝７は、基体３３下面において、基体３３の前方Ｆ側と、雄部３５内部とを連絡するように設けられている。
【００２４】
設置面ｇの勾配に合わせて、設置面に対する支柱２の角度を調整するとき、締め付け工具にて、雄ネジ部材４１の頭部４５を上記と逆方向に回し、雄ネジ部材４１を雌ネジ部材４２に対する組み付けを緩める。このように、両構成部材３１，３２について、締結具を緩めた状態において、関節として、両構成部材３１，３２間の角度調整が可能である。角度を変更する際、長孔である第１貫通部３９内にて、雄ネジ部材４１の軸部４３を変位させ、角度の選択を行うことができる。しかし、両曲面３５ａ，３６ａの夫々を付き合わせた状態において、締結具を締付けていない状態においても、一方の溝ｎ…ｎに他方の凸条ｍ…ｍが引っかかって摩擦抵抗となり、一旦決めた両構成部材３１，３２間の角度は、簡単にずれたりしない。従って、このような構成を採ることにて、再度の締め付け時に、所望の角度に対し調整後の角度がずれているという事態は、減少した。
【００２５】
この実施の形態において、曲面から突出する凸部として、凸条ｍ…ｍを形成するものとしたが、曲面から突出し溝ｎに引っ掛かることが可能であれば、当該凸条以外の形状を採るものであっても実施可能である。即ち、凸部は、上記の凸条は、筋状に形成されたものに限定するものではなく、半球状、円錐状、円錐台状、或いは紡錘状の突出部、即ち突起であっても実施可能である。
また、隣り合う凸条ｍ，ｍ間の空間を溝ｎとしたが、上記凸部を引っ掛けることが可能であればよく、凸条ｍ…ｍを設けずに、曲面から陥没する後退部分として複数形成することも可能である。
【００２６】
上記の実施の形態において、第１貫通部３９を長孔としたが、これとは逆に、第２貫通部３８を円弧状の凹曲面に沿って伸びる長孔として実施することも可能である。
また、上記の実施の形態において、第１構成部３１を凸面構成部とし、第２構成部３２を凹面構成部としたが、これとは逆に、第１構成部３１を凹面構成部とし、第２構成部３２を凸面構成部としても実施可能である。
更に、上記の実施の形態において、角度調整部３は、支柱と設置面ｇとの間に設けられたが、この他、支柱２と把持部１との間に設けるものとしても実施可能である。また、設置面ｇは、地面や床面の他、壁面としても実施可能である。
【図面の簡単な説明】
【００２７】
【図１】本願発明の一実施の形態に係る手すりの略全体側面図である。
【図２】上記手すりの角度調整部３の、水平な設置面に対して垂直に支柱を立てることが可能な状態を示す、縦断面図である。
【図３】上記手すりの角度調整部３の、スロープが付けられた設置面に対して鉛直にに支柱を立てることが可能な状態を示す、縦断面図である。
【図４】図３に示す角度調整部３の斜視図である。
【図５】上記角度調整部３の分解斜視図である。
【図６】上記角度調整部３の斜視図である。
【符号の説明】
【００２８】
１  把持部
２  支柱
３  角度調整部
【図１】
2005076322.tif 000003
【図２】
2005076322.tif 000004
【図３】
2005076322.tif 000005
【図４】
2005076322.tif 000006
【図５】
2005076322.tif 000007
【図６】
2005076322.tif 000008